(57)【要約】【課題】接続先テレビ電話から受信した映像および音声データを蓄積すると共に接続先テレビ電話に対して希望する映像および／又は音声データを送信可能にするテレビ電話装置を提供する。【解決手段】公衆通信網に接続される公衆通信網接続手段１、テレビ電話プロトコル処理手段２、コマンド解析手段３、テレビ電話プロトコル処理手段２に接続された映像復号化手段６および音声復号化手段７、８、これら復号化手段６−８に接続された符号化手段９、１０、音声復号化手段７で復号した音声データからＤＴＭＦ音を検出してコマンド解析手段３に出力するＤＴＭＦ音検出手段５、符号化手段９、１０からの映像および音声データをメディア多重化手段１１で多重化して格納するメディア格納手段１２、このメディア格納手段１２の出力映像および音声データを分離して復号手段６、８に出力するメディア分離手段１３を備える。【選択図】図１
2005136775.tif 000002
【特許請求の範囲】
【請求項１】
公衆通信網からのテレビ電話着信を処理する公衆通信網接続手段、前記テレビ電話の通信プロトコルを処理するテレビ電話プロトコル処理手段および通信先テレビ電話からのコマンドを解析して動作制御するコマンド解析手段を含むテレビ電話装置において、
前記テレビ電話プロトコル処理手段からの音声データを復号する音声復号化手段と、該音声復号化手段からのＤＴＭＦ音を検出して前記コマンド解析手段に対して出力するＤＴＭＦ音検出手段と、前記コマンド解析手段の制御下でコマンド画面を生成するコマンド画面生成手段と、該コマンド画面生成手段からの映像データを通信用に符号化して前記テレビ電話プロトコル処理手段に出力する映像符号化手段とを備えることを特徴とするテレビ電話装置。
【請求項２】
前記コマンド画面生成手段は、メニュー画面や映像データ一覧等を静止画像として合成することを特徴とする請求項１に記載のテレビ電話装置。
【請求項３】
利用者のユーザ番号および電話番号等をデータベースとして格納し、前記コマンド解析手段とデータの受け渡しを行う加入者情報格納手段を備えることを特徴とする請求項１又は２に記載のテレビ電話装置。
【請求項４】
前記テレビ電話プロトコル処理手段および前記映像符号化手段間に設けられた映像復号化手段、前記音声復号化手段からの音声データを通信用に符号化する音声符号化手段、前記映像および音声符号化手段の出力データを多重化するメディア多重化手段および該メディア多重化手段で多重化されたデータを格納するメディア格納手段を備えることを特徴とする請求項１、２又は３に記載のテレビ電話装置。
【請求項５】
前記メディア格納手段から読み出したデータから映像および音声データを分離して前記映像および音声復号化手段に出力するメディア分離手段を備えることを特徴とする請求項４に記載のテレビ電話装置。
【請求項６】
前記映像および音声符号化手段の符号化および前記メディア多重化手段の多重化の開始および終了タイミングを制御して前記メディア格納手段に格納された映像から必要部分のみを切り出し編集する請求項５に記載のテレビ電話装置。
【請求項７】
前記メディア格納手段に格納された映像又は音声データをインターネットからの要求により処理するＨＴＴＰプロトコル処理手段を備えることを特徴とする請求項１乃至６の何れかに記載のテレビ電話装置。
【請求項８】
前記メディア格納手段に格納された動画データを電子メールに添付してインターネットに送信するメール送信手段を備えることを特徴とする請求項１乃至７の何れかに記載のテレビ電話装置。
【発明の詳細な説明】
【技術分野】
【０００１】
本発明はテレビ電話（以下、ＴＶ電話という）装置に関し、特にＴＶ電話におけるデータの編集及び送受信技術に関する。
【背景技術】
【０００２】
ＩＳＤＮ(Integrated services Digital Network:総合サービス・デジタル通信網)方式の加入者線（又は固定）電話やＷ−ＣＤＭＡ(Wideband Code Division Multiple Access)方式の携帯電話サービス等の、デジタル通信サービスにより、音声のみならず映像（又は画像）情報の双方を送受信可能にするＴＶ電話端末が実現されている。即ち、これら電話機に内蔵されたカメラにより人物や風景等の被写体映像を撮影し、相手の電話機との間で音声情報と共に送受信する。
【０００３】
斯かる技術分野における従来技術は、種々の文献に開示されている。例えば、ＴＶ電話のような映像信号を記録するためにＶＴＲ（Video Tape Recorder）等の記録装置を使用する通信装置、通信情報記録方法、応答情報再生／通信情報記録方法および記録媒体が開示されている（例えば、特許文献１参照。）。受信側ＴＶ電話装置において、留守時の着信応答を行う場合に、送信側から任意のタイミングで記憶を開始でき且つ小容量の記憶回路に音声および映像信号を記憶できるＴＶ電話装置が開示されている（例えば、特許文献２参照。）。また、回線を介して伝送される映像信号と音声信号との混合信号を受信する受信手段、映像信号および音声信号を分離する分離手段、分離した映像および音声信号をそれぞれ所定の場所に記録する記憶手段を含むＴＶ電話を用いた映像信号および音声信号の蓄積交換システムが開示されている（例えば、特許文献３参照。）。
【特許文献１】特開２０００−９２０８６号公報（第５頁、第１図）
【特許文献２】特開平６−６２３９９号公報（第２−３頁、第１図）
【特許文献３】特開平８−２３５２９号公報（第２−３頁、第１図）
【発明の開示】
【発明が解決しようとする課題】
【０００４】
しかし、現時点ではＴＶ電話端末の普及率が低いので通話する相手が限定され、ＴＶ電話端末を利用するケースが制限される。また、通常の通話用途では、映像を見ながら音声のやり取りのためにヘッドセット／イヤホンマイク等を使用するか、ある程度耳から離れていても音声が聞こえるように音声のボリュームを上げて使用する必要がある。しかし、特に携帯電話端末では、屋外で使用すると周囲の雑音等により実際に使用可能な場合が限られる。一方、カメラ付き携帯電話端末等の映像記録機能つきの携帯端末が存在する。しかし、斯かるカメラ付き携帯電話端末で動画を記録する場合には、記録に必要なデータ量が大きく、コンパクトなカメラ付き携帯電話端末に実装可能なメモリ容量は限られているので、高画質で長時間の画像記録ができないという課題がある。
【０００５】
本発明は、従来技術の上述した課題乃至欠点に鑑みなされたものであり、接続されたテレビ電話に応じて適切な映像データの送受信を容易且つ迅速に行うことが可能なＴＶ電話装置を提供することを目的とする。
【課題を解決するための手段】
【０００６】
前述の課題を解決するため、本発明によるテレビ電話装置は、次のような特徴的な構成を採用している。
【０００７】
（１）公衆通信網からのテレビ電話着信を処理する公衆通信網接続手段、前記テレビ電話の通信プロトコルを処理するテレビ電話プロトコル処理手段および通信先テレビ電話からのコマンドを解析して動作制御するコマンド解析手段を含むテレビ電話装置において、
前記テレビ電話プロトコル処理手段からの音声データを復号する音声復号化手段と、該音声復号化手段からのＤＴＭＦ音を検出して前記コマンド解析手段に対して出力するＤＴＭＦ音検出手段と、前記コマンド解析手段の制御下でコマンド画面を生成するコマンド画面生成手段と、該コマンド画面生成手段からの映像データを通信用に符号化して前記テレビ電話プロトコル処理手段に出力する映像符号化手段とを備えるテレビ電話装置。
【０００８】
（２）前記コマンド画面生成手段は、メニュー画面や映像データ一覧等を静止画像として合成する上記（１）に記載のテレビ電話装置。
【０００９】
（３）利用者のユーザ番号および電話番号等をデータベースとして格納し、前記コマンド解析手段とデータの受け渡しを行う加入者情報格納手段を備える上記（１）又は（２）に記載のテレビ電話装置。
【００１０】
（４）前記テレビ電話プロトコル処理手段および前記映像符号化手段間に設けられた映像復号化手段、前記音声復号化手段からの音声データを通信用に符号化する音声符号化手段、前記映像および音声符号化手段の出力データを多重化するメディア多重化手段および該メディア多重化手段で多重化されたデータを格納するメディア格納手段を備える上記（１）、（２）又は（３）に記載のテレビ電話装置。
【００１１】
（５）前記メディア格納手段から読み出したデータから映像および音声データを分離して前記映像および音声復号化手段に出力するメディア分離手段を備える上記（４）に記載のテレビ電話装置。
【００１２】
（６）前記映像および音声符号化手段の符号化および前記メディア多重化手段の多重化の開始および終了タイミングを制御して前記メディア格納手段に格納された映像から必要部分のみを切り出し編集する上記（５）に記載のテレビ電話装置。
【００１３】
（７）前記メディア格納手段に格納された映像又は音声データをインターネットからの要求により処理するＨＴＴＰプロトコル処理手段を備える上記（１）乃至（６）の何れかに記載のテレビ電話装置。
【００１４】
（８）前記メディア格納手段に格納された動画データを電子メールに添付してインターネットに送信するメール送信手段を備える上記（１）乃至（７）の何れかに記載のテレビ電話装置。
【発明の効果】
【００１５】
本発明のＴＶ電話装置によると、次の如き実用上の顕著な効果を有する。即ち、ＤＴＭＦ音によりＴＶ電話端末からのコマンドを受信する際に、ＴＶ電話の映像部分を利用してコマンドの説明画像を送信するので、音声のみのガイダンスによる自動応答に比較して利用者が効率よく操作可能である。また、ＴＶ電話端末から受信した映像・音声をファイルとして記録することにより、ＴＶ電話端末をビデオカメラとして利用可能である。特に、端末内には記録不可能な長時間・大容量の映像記録が可能である。更に、ファイルとして記録された映像・音声をＷｅｂコンテンツとしてインターネット接続された端末に提供可能とし、登録されたメールアドレスに対して電子メールとして送信可能である。また、ファイルとして記録された映像・音声から任意の再生区間を切り出して保存可能であり、これによりインターネットから映像を受信可能な端末に対して必要な部分のみの映像の提供が可能である。特に、相手の端末のメモリの記録容量が制限されている場合でも、記録した映像の提供が可能である。
【実施例１】
【００１６】
以下、本発明によるＴＶ電話装置の好適実施例の構成および動作を、添付図面を参照して詳細に説明する。
【００１７】
先ず、図1は、本発明によるＴＶ電話装置の好適実施例の主要構成を示す機能ブロック図である。このＴＶ電話装置は、公衆通信網接続手段１、ＴＶ電話プロトコル処理手段２、コマンド解析手段３、加入者情報格納手段４、ＤＴＭＦ(Dial Tone Multi Frequency)音検出手段５、映像復号化手段６、音声復号化手段７、８、映像符号化手段９、音声符号化手段１０、メディア多重化手段１１、メディア格納手段１２、メディア分離手段１３、コマンド画面生成手段１４、ＨＴＴＰプロトコル処理手段１５、メール送信手段１６およびインターネット接続手段１７により構成されている。
【００１８】
ここで、公衆通信網接続手段１は、ＩＳＤＮ等のテレビ電話通信をサービス可能な公衆通信網からのテレビ電話着信を処理可能にする。ＴＶ電話プロトコル処理手段２は、ＴＶ電話の通信プロトコルを処理する。コマンド解析手段３は、通信先のＴＶ電話からのコマンドを解析して装置の動作を制御する。加入者情報格納手段４は、利用者のユーザ番号、電話番号および電子メールアドレスをデータベースとして格納する。ＤＴＭＦ音検出手段５は、音声データからＤＴＭＦ信号(プッシュトーン)を検出する。映像復号化手段６は、通信用に符号化された映像データを復号する。音声復号化手段７および８は、通信用に符号化された音声データを復号する。映像符号化手段９は、映像データを通信用に符号化する。音声符号化手段１０は、音声データを通信用に符号化する。
【００１９】
メディア多重化手段１１は、符号化された映像および音声データを単一のデータストリームに多重化する。メディア格納手段１２は、多重化された映像および音声データをファイルとして永続的に格納する。メディア分離手段１３は、多重化されたデータを映像および音声に分離する。コマンド画面生成手段１４は、メニュー画面や映像データ一覧を静止画像として合成する。ＨＴＴＰプロトコル処理手段１５は、インターネットからの要求されたＨＴＴＰプロトコルを処理する。メール送信手段１６は、動画データを電子メールに添付して送信する。インターネット接続手段１７は、インターネットと接続する。
【００２０】
次に、図1のＴＶ電話装置を構成する各手段を接続する破線は、制御信号を示す。一方、実線は、データ信号を示す。以下、このＴＶ電話積装を構成する各手段１〜１７の接続関係を説明する。
【００２１】
公衆通信網から着信時に、接続先（又は相手先）の電話番号を通知する制御信号が、公衆通信網接続手段１からコマンド解析手段３に接続される。一方、通信切断を指示する制御信号が、コマンド解析手段３から公衆通信網接続手段１に接続される。公衆通信網接続手段１とＴＶ電話プロトコル処理手段２には、公衆通信網との上り・下りの通信データ信号にて接続される。コマンド解析手段３から加入者情報格納手段４には、電話番号により利用者データベースを検索する制御信号が接続される。加入者情報格納手段４からコマンド解析手段３には、検索結果を渡すデータ信号が接続される。
【００２２】
コマンド解析手段３から映像符号化手段９、音声符号化手段１０、メディア多重化手段１１、メディア格納手段１２、コマンド画面生成手段１４およびメール送信手段１６へは、動作指示を行う制御信号が接続される。ＴＶ電話プロトコル処理手段２からＴＶ電話にて受信した下りの映像データおよび音声データの信号が出力される。映像データは、映像復号化手段６およびメディア多重化手段１１に接続される。音声データは、音声復号化手段７およびメディア多重化手段１１に接続される。映像復号化手段６に入力された映像データは、復号化され且つ映像符号化手段９に接続されて符号化される。そして、符号化された映像データは、メディア多重化手段１１に接続される。一方、音声復号化手段７に入力された音声データは、復号化され且つ音声復号化手段１０に接続されて符号化される。そして、符号化された音声データは、メディア多重化手段１１に接続される。音声復号化手段７により復号化された音声データは、ＤＴＭＦ音検出手段５にも接続される。メディア多重化手段１１は、映像・音声データをファイル格納用に多重化する。多重化されたデータは、メディア格納手段１２に接続される。
【００２３】
メディア多重化手段１１は、格納されたファイル情報をデータ信号としてコマンド画面生成手段１４に接続される。メディア格納手段１２に格納された映像・音声データを出力するデータ信号は、メディア分離手段１３、ＨＴＴＰプロトコル処理手段１５およびメール送信手段１６に接続される。メディア分離手段１３は、メディア格納手段１２から出力された映像・音声データを、映像データと音声データに分離する。そして、映像データは、ＴＶ電話プロトコル処理手段２および映像復号化手段６に接続される。音声データおよび映像データは、ＴＶ電話プロトコル処理手段２および音声復号化手段８に接続される。ＨＴＴＰプロトコル処理手段１５は、インターネット接続手段１７に接続され、インターネットより要求されたＨＴＴＰプロトコルによるデータ取得要求を受信し、対応する映像・音声データをインターネット接続手段１７に出力する。メール送信手段１６は、インターネット接続手段１７と接続され、指定された宛先にメール送信する。
【００２４】
次に、図１に示す本発明によるＴＶ電話装置の動作を、ユーザ識別およびコマンド処理、受信データ記録処理、映像一覧表示処理、切り出し編集処理、Ｗｅｂ公開処理およびメール送信処理の各処理毎に、図２〜図１０を参照して各処理毎に説明する。
【００２５】
[ユーザ識別およびコマンド処理]
図４は、本発明のＴＶ電話装置に対して接続したＴＶ電話端末に対して、本発明のＴＶ電話装置から送信されるＴＶ電話画面の遷移を示している。ＴＶ電話端末の利用者は、この画面を見ながら、ＴＶ電話端末のダイヤルキーを操作し、ＤＴＭＦ音(プッシュトーン)を本発明のＴＶ電話装置に対して送信することで、各種の操作を行う。図４に示す本発明のＴＶ電話装置の全体動作は、コマンド解析手段３により制御される。
【００２６】
図５は、公衆通信網よりＴＶ電話端末が接続された際の、前述した画面遷移の制御に関係する基本的な信号を太線で示している。公衆通信網を経由して、ＴＶ電話端末より本発明のＴＶ電話装置に着信がかかると、公衆通信網接続手段１よりコマンド解析手段３に対して、着信通知５−１が通知される。着信通知５−１は、発信元のＴＶ電話端末の電話番号情報を含んでいる。コマンド解析手段３は、加入検索要求５−２を加入者情報格納手段４に送信する。加入者情報格納手段４は、図２に示す如く、ユーザ番号２１、電話番号２２およびメールアドレス２３から構成される加入者情報をユーザ毎に格納している。発信元電話番号に対応する情報があれば、検索結果５−３としてコマンド解析手段３に送信する。加入者情報が見つからない場合には、検索結果５−３として「加入者情報なし」である旨送信する。
【００２７】
加入者情報が見つかった場合には、コマンド解析手段３は、メニュー画面４−３をＴＶ電話画像として送信する。加入者情報が見つからなかった場合には、画面４−２をＴＶ電話画像として送信する。画面４−２において一定時間を経過しても、ＴＶ電話通信が切断されない場合には、コマンド解析手段３より、切断要求５−４が送信される。そこで、ＴＶ電話プロトコル処理手段２は、通話切断処理を行い、接続待ち状態４−１に戻る。
【００２８】
画面の送信は、次の手順で実行される。コマンド解析手段３は、画面生成要求５−１０をコマンド画面生成手段１４に送信し、ＴＶ電話端末に送信する画面の種類を通知する。画面生成要求５−１０は、要求された画面を静止画像として生成し、画面データ５−１１として映像符号化手段９に送信する。映像符号化手段９は、静止画像からＴＶ電話送信用の符号化された映像データを生成し、符号化映像データ５−１２としてＴＶ電話プロトコル処理手段２に送信する。符号化された映像データとは、通信に適したデータ容量の圧縮および誤り訂正のための符号化を施したデータであり、ＭＰＥＧ４等の規格を利用する。ＴＶ電話プロトコル処理手段２は、これを通信データ５−５として公衆通信網接続手段１経由で、ＴＶ電話端末に送信する。
【００２９】
ＴＶ電話端末からのＤＴＭＦ音によるコマンド受付は、次の手順で実行される。ＴＶ電話端末からのプッシュトーンデータがＴＶ電話プロトコル上の制御コマンドとして送信された場合には、ＴＶ電話プロトコル処理手段２から、制御コマンド５−６としてコマンド解析手段３に送信される。ＴＶ電話端末からのプッシュトーンデータが音声として送信された場合には、受信データがＴＶ電話プロトコル処理手段２により、映像データと音声データに分離された後、符号化音声データ５−７として音声復号化手段７に送信され、この音声復号化手段７により復号化され音声データ５−８としてＤＴＭＦ音検出手段５に送信される。ＤＴＭＦ音検出手段５は、音声データからプッシュトーンの周波数の信号を検出すると、制御コマンド５−９としてコマンド解析手段３に送信する。符号化された音声データとは、通信に適したデータ容量の圧縮および誤り訂正のための符号化を施したデータであり、ＡＤＰＣＭおよび３Ｇ  ＡＭＲ等の規格を利用する。
【００３０】
[受信データ記録]
図４のサービスメニュー表示４−３中にＴＶ電話端末よりプッシュトーンにて１が入力されると、コマンド解析手段３は、記録メニュー４−４に画面を遷移させ、更に「１」の入力で、ＴＶ電話端末から送信された映像・音声をメディア格納手段１２上のファイルに記録する。映像・音声の記録は、図６の太線で示す経路でデータを処理することで実現される。プッシュトーンにより記録開始が指示されると、コマンド解析手段３は、映像符号化手段９、音声符号化手段１０、メディア多重化手段１１およびメディア格納手段１２にそれぞれ記録開始要求６−１、６−２、６−３および６−４を送信する。
【００３１】
ＴＶ電話端末から送信されたデータは、ＴＶ電話プロトコル処理手段２により、符号化映像データ６−５、符号化音声データ６−８として、それぞれ映像復号化手段６および音声復号化手段７に送られ、映像データ６−６および音声データ６−９に復号される。映像符号化手段９および音声符号化手段１０は、コマンド解析手段３から指示された時点で、映像データ６−６、音声データ６−９を再符号化し、符号化映像データ６−７および符号化音声データ６−１０として出力される。そして、メディア多重化手段１１にて1本の連続したデータストリームに多重化されて(多重化動画・音声データ６−１１)、メディア格納手段１２に記録される。
【００３２】
次に、図３は、メディア記録手段１２における、データ格納領域の階層構造の１例を示す。本発明によるＴＶ電話装置の実施例では、加入者情報格納手段４に格納されたユーザ番号０、１、２、・・・、Ｎ毎に第１階層が作成される。第２階層としては、記録データの保存用およびＷｅｂ公開用の２つの領域が用意される。多重化された動画・音声データは、接続先のＴＶ電話端末の電話番号から検索されたユーザ番号に対応する記録用領域に格納される。メディア格納手段１２の記録データ格納領域としては、ハードディスクドライブ（ＨＤＤ）又は電子ディスク装置等を使用する。
【００３３】
ＴＶ電話端末から記録停止が指示されると、開始時の同様に映像符号化手段９、音声符号化手段１０、メディア多重化手段１１およびメディア格納手段１２に記録処理終了が指示される。コマンド解析手段３は、記録終了画面４−６を一定時間（例えば、５秒間）表示後、サービスメニュー画面４−３に遷移させる。
【００３４】
[映像一覧表示]
図４のサービスメニュー４−３の表示中にＴＶ電話端末よりプッシュトーンにて「２」が入力されると、コマンド解析手段３は、映像一覧画面４−４に遷移させ、メディア格納手段１２に格納された映像データの一覧を表示する。映像一覧が一画面で収まらない場合には、プッシュトーン８、９により次画面/前画面に遷移させ、複数画面を使用して表示を行う。映像一覧の表示は、図７の太線で示す経路でデータを処理することで実現される。
【００３５】
コマンド解析手段３は、メディア格納手段１２に、接続先のＴＶ電話端末に対応するユーザ番号の記録データ一覧を要求する。(記録データ一覧要求７−１)メディア格納手段１２は、指定された「"ユーザ番号"-記録用」の格納領域に存在するファイルのファイル名と記録時間のリスト７−２を、コマンド解析手段３に送信する。コマンド解析手段３は、受信したリストから記録時間の一覧７−３をコマンド画面生成手段１４に送信する。そして、コマンド画面生成手段１４は、このリストを元に映像一覧画面を作成する。映像一覧画面４−７の表示中にプッシュトーンにより、記録された映像のいずれかが選択されると、コマンド解析手段３は、コマンド画面生成手段１４に映像データ操作画面の作成要求を送信する。そして、コマンド画面生成手段１４は、図４の映像データ操作画面４−８を作成する。
【００３６】
[切り出し編集]
図４の映像データ操作画面４−８の表示中にＴＶ電話端末よりプッシュトーンにて「１」が入力されると、コマンド解析手段３は、映像切り出し開始画面４−９に画面を遷移させ、映像一覧４−７にて選択されたファイルの再生を開始する(切り出し開始待ち画面４−１０)。ＴＶ電話端末よりプッシュトーンにて「１」が入力されると、その時点で再生されていた映像・音声を再度符号化し、メディア格納手段１２に格納開始する( 映像切り出し中画面４−１１)。再度ＴＶ電話端末よりプッシュトーンにて「１」が入力されると、その時点で映像・音声の再符号化およびメディア格納手段１２への格納を終了し、切り出し終了告知画面４−１２を経て、映像データ操作画面４−８に戻る。この動作により、選択された動画ファイルから任意の部分を切り出し、新しい動画ファイルを生成する。動画ファイルの切り出しは、図８の太線で示す経路でデータを処理することで実現される。
【００３７】
コマンド解析手段３は、メディア格納手段１２に対して、指定された動画ファイルのメディア分離手段１３への出力開始指示８−１を送信する。メディア格納手段１２は、映像データ８−２を出力する。メディア分離手段１３は、映像データ８−３および音声データ８−４にデータを分離し、ＴＶ電話プロトコル処理手段２、映像復号化手段６および音声復号化手段８に出力する。ＴＶ電話プロトコル処理手段２に出力されたデータは、接続先のＴＶ電話端末にＴＶ電話データとして送信され、ＴＶ電話端末上で映像・音声が再生される。映像復号化手段６は、入力された映像データの復号処理を行い、映像データ８−５として映像符号化手段９に出力する。そして、音声復号化手段８は、入力された音声データの復号処理を行い、音声データ８−６として音声符号化手段１０に出力する。
【００３８】
コマンド解析手段３は、切り出し開始がＴＶ電話端末より指示されると、映像符号化手段９、音声符号化手段１０、メディア多重化手段１１およびメディア格納手段１２にそれぞれ記録開始要求８−７、８−８、８−９および８−１０を送信する。以後、ＴＶ電話端末からの受信データ記録と同様に、符号化映像データ８−１１および符号化音声データ８−１２がメディア多重化手段１１により記録用に多重化され(多重化映像・音声データ８−１３)、メディア格納手段１２にファイルとして格納される。
【００３９】
コマンド解析手段３は、切り出し終了がＴＶ電話端末より指示されると、映像符号化手段９、音声符号化手段１０、メディア多重化手段１１およびメディア格納手段１２にそれぞれ記録停止要求を送信し、記録処理が終了する。切り出し処理において、音声データの復号化は、音声復号化手段７を使用せず、音声復号化手段８を使用している。音声復号化手段７は、ＴＶ電話端末から受信した音声データ内にプッシュトーン信号が含まれる場合に、これをＤＭＴＦ音検出手段５に送信して、ＴＶ電話端末からの操作を受け付けるために使用する。即ち、相手先のＴＶ電話端末の1接続につき、音声データの復号化処理が同時に２本必要なことを明示するため、２つの音声復号化手段７および８を実施例として設けている。
【００４０】
[Ｗｅｂ公開]
図４の映像データ操作画面４−８の表示中にＴＶ電話端末よりプッシュトーンにて「２」が入力されると、コマンド解析手段３は、Ｗｅｂ公開処理完了画面４−１３に遷移し、一定時間（例えば、５秒間）後に、映像データ操作画面４−８に戻る。この操作により、指定された動画ファイルが、インターネット経由でＨＴＴＰプロトコルを介して取得可能となる。この処理は、図９の太線で示す経路でデータを処理することで実現される。
【００４１】
コマンド解析手段３は、メディア格納手段１２にＷｅｂ公開要求９−１を送信する。メディア格納手段１２は、指定された動画ファイルを、指定されたユーザの記録用領域からＷｅｂ公開用領域にコピーする。メディア格納手段１２は、ＨＴＴＰプロトコル処理手段１５と接続されており、ＨＴＴＰプロトコル処理手段１５は、インターネット経由でＨＴＴＰプロトコルにて取得要求されたファイルについて、ファイル取得要求９−２をメディア格納手段１２に送信する。メディア格納手段１２は、要求されたファイルが、Ｗｅｂ公開用領域に存在する場合には、ファイルデータ９−３をＨＴＴＰプロトコル処理手段１５に送信する。
【００４２】
[メール送信]
図４の映像データ操作画面４−８の表示中にＴＶ電話端末よりプッシュトーンにて「３」が入力されると、コマンド解析手段３は、メール送信処理完了画面４−１４に遷移し、一定時間後に映像データ操作画面４−８に戻る。この操作により、指定された動画ファイルが、加入者情報格納手段４に格納されたメールアドレスに対して、電子メールとして送信される。この処理は、図１０の太線で示す経路でデータを処理することで実現される。
【００４３】
コマンド解析手段３は、メール送信手段１６に、送信するファイル名および送信先アドレスを含むメール送信要求１０−１を送信する。メール送信手段１６は、メディア格納手段１２に対して、指定されたファイル名のファイルについて、ファイル読み出し要求１０−２を送信する。そして、メディア格納手段１２は、指定されたファイルの内容をファイルデータ１０−３にてメール送信手段１６に送信する。メール送信手段１６は、受信データを電子メールの添付ファイルとしてフォーマットし、指定された送信先アドレスに対してインターネット接続手段１７を経由して送信する(メールデータ１０−４)。
【００４４】
以上、本発明によるＴＶ電話装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００４５】
【図１】本発明によるＴＶ電話装置の好適実施例の主要構成を示す機能ブロック図である。
【図２】加入者情報の構成例を示す図である。
【図３】図１中のメディア格納手段におけるデータ格納領域の階層構造の具体例を示す図である。
【図４】図１のＴＶ電話装置から接続先ＴＶ電話端末に対して送信されるＴＶ電話画面の状態遷移図である。
【図５】公衆通信網よりＴＶ電話端末が接続された場合の制御信号およびデータの流れを示す図である。
【図６】映像および音声の記録処理時の制御信号およびデータの流れを示す図である。
【図７】映像一覧表示処理時の制御信号およびデータの流れを示す図である。
【図８】動画ファイルの切り出し処理時の制御信号およびデータの流れを示す図である。
【図９】Ｗｅｂ公開処理時の制御信号およびデータの流れを示す図である。
【図１０】メール送信時の制御信号およびデータの流れを示す図である。
【符号の説明】
【００４６】
１  公衆通信網接続手段
２  ＴＶ電話プロトコル処理手段
３  コマンド解析手段
４  加入者情報格納手段
５  ＤＴＭＦ音検出手段
６  映像復号化手段
７、８  音声復号化手段
９  映像符号化手段
１０  音声符号化手段
１１  メディア多重化手段
１２  メディア格納手段
１３  メディア分離手段
１４  コマンド画面生成手段
１５  ＨＴＴＰプロトコル処理手段
１６  メール送信手段
１７  インターネット接続手段
【図１】
2005136775.tif 000003
【図２】
2005136775.tif 000004
【図３】
2005136775.tif 000005
【図４】
2005136775.tif 000006
【図５】
2005136775.tif 000007
【図６】
2005136775.tif 000008
【図７】
2005136775.tif 000009
【図８】
2005136775.tif 000010
【図９】
2005136775.tif 000011
【図１０】
2005136775.tif 000012